(57)【要約】【課題】時間を要する縫合の配列の必要性を廃し、全体的な処置時間を削減することが可能なステープラーを提供すること。【解決手段】複数のステープル保持チャンバを有するステープル保持部材を有する。各ステープル保持チャンバは複数のステープルの内の少なくとも１つを保持するように構成される。第１位置及び第２位置の間で移動可能なステープル・ドライバが設けられる。ステープル・ドライバは第１位置から第２位置へ移動するとき、複数のステープルの内の第１のセットに係合して前進させるように構成される。ステープル保持部材及びステープル・ドライバは複数のステープルの第２のセットにステープル・ドライバを整合させるために、互いに対して相対的に回転可能であり、ステープル・ドライバはそのステープル・ドライバが第１位置から第２位置へ移動されるときに複数のステープルの第２のセットに係合して前進させる。【選択図】図１６
2015061665.tif 000002
【特許請求の範囲】
【請求項１】
複数のステープル保持チャンバを有するステープル保持部材であって、各ステープル保持チャンバは複数のステープルの内の少なくとも１つを保持するように構成されており、
第１位置及び第２位置の間で移動可能なステープル・ドライバであって、前記ステープル・ドライバはそのステープル・ドライバが第１位置から第２位置へ移動するとき、複数のステープルの内の第１のセットに係合して前進させるように構成され、
前記ステープル保持部材及びステープル・ドライバは複数のステープルの第２のセットにステープル・ドライバを整合させるために、互いに対して相対的に回転可能であり、ステープル・ドライバはそのステープル・ドライバが第１位置から第２位置へ移動されるときに複数のステープルの第２のセットに係合して前進させることからなるステープラー。
【請求項２】
複数のステープル保持チャンバの各々は第１端部及び第２端部を備え、複数のステープル保持チャンバはステープラーの長手方向の軸の周りに放射状に配置され、第１端部が第２端部に対して相対的に放射方向内側に位置決めされている請求項１に記載のステープラー。
【請求項３】
複数のステープル保持チャンバは複数のステープルを保持するように構成され、前記ステープルの脚部はステープラーの長手方向の軸に略平行に配列される請求項２に記載のステープラー。
【請求項４】
複数のステープルの第１のセットを保持する複数のステープル保持チャンバは車輪の周りに等間隔をおいて配置される請求項１に記載のステープラー。
【発明の詳細な説明】
【技術分野】
【０００１】
一般に本発明はステープラーに関する。
【背景技術】
【０００２】
外科用ステープラーは、長年に亘って臨床用途に用いられている。これらは、組織付加、結紮、切除及び／又は吻合を必要とする処置において外科医によって用いられる標準的なツールである。ステープラーは、時間を要する縫合の配列の必要性を廃することにより、全体的な処置時間を削減する。ステープラーは、組織を圧縮してステープル留めした後に、組織切断／切除の実行を可能とすることにより、ステープル留めされる組織の切除に関係する特定の処置における失血を低減することができる。例えば、先ず一対のステープル列を形成し、次いで組織をステープル列の間の線に沿って切断する。
【０００３】
外科用ステープラーは、一回の発射でステープル配列（例えば、ステープル・ラインのような直線配列、円形配列その他）の複数のステープルを打ち出すように構成されている。初期のステープラーは、再使用可能なハンドルと、単独のステープル配列を保持する使い捨てのステープル・カートリッジ倉からなる。それ以降のステープラーは、使い捨てのハンドルと使い捨てのカートリッジ倉を用いる。従来技術のステープラーの臨床用途期間中に、使いきって空になったカートリッジは、ハンドルから取り外して新しいカートリッジに交換しなければならない。このように、ステープルの単独の装填を支持するステープラーは、組織へ打ち出して、次いで患者から取り外される。空のカートリッジは放出されて、新しいカートリッジは次のステープル・ラインへ装填される。このステープラーは身体へ再度導入され、この処理は、組織へ適用されるステープルの次のライン又は配列について繰り返される。ステープラーの恒常的再装填の必要性は、経口自然開口部手術において特に時間を要し、これは胃若しくは他の体腔からデバイスを取り外した後にステープル・ヘッドを再位置決めするのに要する時間が僅かではないためである。更に、一回の処置あたりの複数のステープル・カートリッジについての必要条件は、処置の全体的コストを増加させる。
【発明の概要】
【発明が解決しようとする課題】
【０００４】
本発明の目的は、時間を要する縫合の配列の必要性を廃し、全体的な処置時間を削減することが可能なステープラーを提供することにある。
【課題を解決するための手段】
【０００５】
一つの態様において、本発明によれば、複数のステープル保持チャンバを有するステープル保持部材であって、各ステープル保持チャンバは複数のステープルの内の少なくとも１つを保持するように構成されており、第１位置及び第２位置の間で移動可能なステープル・ドライバであって、前記ステープル・ドライバはそのステープル・ドライバが第１位置から第２位置へ移動するとき、複数のステープルの内の第１のセットに係合して前進させるように構成され、前記ステープル保持部材及びステープル・ドライバは複数のステープルの第２のセットにステープル・ドライバを整合させるために、互いに対して相対的に回転可能であり、ステープル・ドライバはそのステープル・ドライバが第１位置から第２位置へ移動されるときに複数のステープルの第２のセットに係合して前進させることからなるステープラーが提供される。
【０００６】
複数のステープル保持チャンバの各々は第１端部及び第２端部を備え、複数のステープル保持チャンバはステープラーの長手方向の軸の周りに放射状に配置され、第１端部が第２端部に対して相対的に放射方向内側に位置決めされることが望ましい。
【０００７】
複数のステープル保持チャンバは複数のステープルを保持するように構成され、前記ステープルの脚部はステープラーの長手方向の軸に略平行に配列されることが望ましい。
複数のステープルの第１のセットを保持する複数のステープル保持チャンバは車輪の周りに等間隔をおいて配置されることが望ましい。
【０００８】
本発明の上述及び他の目的及び特徴は、添付図面を参照して以下の本発明の詳細な説明を解釈するとより完全に明らかになろう。
【図面の簡単な説明】
【０００９】
【図１Ａ】多重打ち出しステープラー・ヘッドの第１実施形態の斜視図であり、開放状態にある顎及び前置打ち出し状態にあるステープル・ドライバを示す。
【図１Ｂ】図１Ａと同様な図であって、閉止状態にある顎及び前置打ち出し状態にあるステープル・ドライバを示す。
【図１Ｃ】図１Ａと同様な図であって、閉止状態にある顎及び打ち出し状態にあるステープル・ドライバを示す。
【図２】ステープル・ハウジングの平面図であって、フェースプレートを取り外して示す。
【図３Ａ】ステープル・ハウジングの縦断面を示す斜視図であって、バックプレートを取り外して示す。
【図３Ｂ】ステープル・ハウジングの横断面を示す斜視図であって、バックプレートを取り外して示す。
【図４】ステープル前進プレート及びこのプレート上に設けられた二つのスプリングの斜視図である。
【図５Ａ】図２と同様な図であるが、供給機構におけるスプリングの代替的形式を示す図である。
【図５Ｂ】図５Ａの実施形態の単独セルを示し、スプリングは弾性部材により置き換えられている。
【図６】セルの単一の領域におけるステープル・ハウジングの一部分及びステープル・ドライバの一部分の断面図である。
【図７Ａ】ステープル・ハウジングから組織へステープルを駆動する代替的なステープル・ドライバの動作を概略的に示す一連の縦側面図の一部である。
【図７Ｂ】ステープル・ハウジングから組織へステープルを駆動する代替的なステープル・ドライバの動作を概略的に示す一連の縦側面図の一部である。
【図７Ｃ】ステープル・ハウジングから組織へステープルを駆動する代替的なステープル・ドライバの動作を概略的に示す一連の縦側面図の一部である。
【図８Ａ】図８Ａ−図８Ｅは、ステープル・ハウジングから組織へステープルを駆動する第２の代替的なステープル・ドライバの動作を概略的に示す一連の縦側面図であり、図８Ａはその一部である。
【図８Ｂ】ステープル・ハウジングから組織へステープルを駆動する第２の代替的なステープル・ドライバの動作を概略的に示す一連の縦側面図の一部である。
【図８Ｃ】ステープル・ハウジングから組織へステープルを駆動する第２の代替的なステープル・ドライバの動作を概略的に示す一連の縦側面図の一部である。
【図８Ｄ】ステープル・ハウジングから組織へステープルを駆動する第２の代替的なステープル・ドライバの動作を概略的に示す一連の縦側面図の一部である。
【図８Ｅ】ステープル・ハウジングから組織へステープルを駆動する第２の代替的なステープル・ドライバの動作を概略的に示す一連の縦側面図の一部である。
【図９Ａ】バックプレートを取り外した代替的なステープル・ハウジングの平面図である。
【図９Ｂ】図９Ｂ−９Ｅは、図９Ａのステープル・ハウジングから組織へステープルを駆動する第２の代替的なステープル・ドライバの動作を概略的に示す一連の縦側面図であり、図９Ｂはその一部である。
【図９Ｃ】図９Ｂ−９Ｅは、図９Ａのステープル・ハウジングから組織へステープルを駆動する第２の代替的なステープル・ドライバの動作を概略的に示す一連の縦側面図であり、図９はその一部である。
【図９Ｄ】図９Ｂ−９Ｅは、図９Ａのステープル・ハウジングから組織へステープルを駆動する第２の代替的なステープル・ドライバの動作を概略的に示す一連の縦側面図であり、図９Ｄはその一部である。
【図９Ｅ】図９Ｂ−９Ｅは、図９Ａのステープル・ハウジングから組織へステープルを駆動する第２の代替的なステープル・ドライバの動作を概略的に示す一連の縦側面図であり、図９Ｅはその一部である。
【図１０Ａ】図１０Ａ乃至図１０Ｃは、準備位置からステープル留めされるべき組織へ向かうステープルの駆動及びそれに続くステープルのスタックからの次のステープルの準備位置への再装填を概略的に示す一連の斜視図であり、図１０Ａはその一部である。
【図１０Ｂ】図１０Ａ乃至図１０Ｃは、準備位置からステープル留めされるべき組織へ向かうステープルの駆動及びそれに続くステープルのスタックからの次のステープルの準備位置への再装填を概略的に示す一連の斜視図であり、図１０Ｂはその一部である。
【図１０Ｃ】図１０Ａ乃至図１０Ｃは、準備位置からステープル留めされるべき組織へ向かうステープルの駆動及びそれに続くステープルのスタックからの次のステープルの準備位置への再装填を概略的に示す一連の斜視図であり、図１０Ｃはその一部である。
【図１１】図１Ａのステープルに用いるステープルのスタックを形成する一つの方法を示す斜視図である。
【図１２】図１Ａのステープルに用いるステープルのスタックを形成する一つの方法を示す斜視図である。
【図１３】図１３乃至図１５は図１Ａのステープルの使用を示す連続的な段階であり、図１３は閉止した顎及び収縮位置におけるステープル・ドライバを示す縦側面図である。
【図１４】開放した顎及び収縮位置におけるステープル・ドライバを示す縦側面図である。
【図１５】閉止した顎及びステープル・ハウジングを通じて延伸してステープルの配列を駆動するステープル・ドライバを示す縦側面図である。
【図１６】代替的な多重打ち出しステープル・ハウジングを採用するステープルの第２の実施形態の平面図である。
【図１７】図１６のステープラーのステープル・カートリッジの拡大図である。
【図１８】図１７のステープル・カートリッジの他の拡大図であり、ここではステープル、ステープル前進要素、及びステープル・プッシャは明瞭化のために図示されていない。
【図１９】部分的組み立て状態における図１７のステープル・カートリッジの斜視図であり、ここではステープル及びステープル前進要素は装填されているが、前方ハウジングを分離してステープル及びステープル前進要素を視認可能にしている。圧縮バンド及びステープル・プッシャは図示されていない。
【図２０】図１７のステープル・カートリッジのためのステープル・プッシャの斜視図である。
【図２１Ａ】図１７のステープル・カートリッジの斜視図であり、ステープル・プッシャは収縮位置にある。
【図２１Ｂ】図２１Ａと同様な図であり、ステープルをステープル・カートリッジから駆動するステープル駆動位置におけるステープル・プッシャを示す図である。
【図２２】図１７のステープル・カートリッジの平面図であり、隠れ線におけるステープル・スタック及びステープル前進要素を示す図である。
【図２３Ａ】図２３Ａ乃至図２３Ｃは、準備位置からステープル留めされるべき組織へ向かうステープルの駆動及びそれに続くステープルのスタックからの次のステープルの準備位置への再装填を概略的に示すカートリッジの一連の断面図であり、図２３Ａはその一部である。
【図２３Ｂ】図２３Ａ乃至図２３Ｃは、準備位置からステープル留めされるべき組織へ向かうステープルの駆動及びそれに続くステープルのスタックからの次のステープルの準備位置への再装填を概略的に示すカートリッジの一連の断面図であり、図２３Ｂはその一部である。
【図２３Ｃ】図２３Ａ乃至図２３Ｃは、準備位置からステープル留めされるべき組織へ向かうステープルの駆動及びそれに続くステープルのスタックからの次のステープルの準備位置への再装填を概略的に示すカートリッジの一連の断面図であり、図２３Ｃはその一部である。
【図２４】ステープル・ヘッドの代替的な実施形態の斜視図であり、ここでは使い切ったカートリッジは後方に置かれており、第２のカートリッジはステープル・ハウジング内にあり、第３のカートリッジは第２のカートリッジを置き換えるステープル・ハウジングへの前進を待機している。
【図２５】ステープル・ハウジングへ前進する第１のカートリッジ及び第１のカートリッジに接続された第２のカートリッジを示す斜視図である。
【図２６Ａ】図２６Ａ乃至図２６Ｅはカートリッジからのステープルの駆動及びステープル・ハウジングへの第２のカートリッジの前進の段階を示す一連の図であり、図２６Ａはその一部である。
【図２６Ｂ】図２６Ａ乃至図２６Ｅはカートリッジからのステープルの駆動及びステープル・ハウジングへの第２のカートリッジの前進の段階を示す一連の図であり、図２６Ｂはその一部である。
【図２６Ｃ】図２６Ａ乃至図２６Ｅはカートリッジからのステープルの駆動及びステープル・ハウジングへの第２のカートリッジの前進の段階を示す一連の図であり、図２６Ｃはその一部である。
【図２６Ｄ】図２６Ａ乃至図２６Ｅはカートリッジからのステープルの駆動及びステープル・ハウジングへの第２のカートリッジの前進の段階を示す一連の図であり、図２６Ｄはその一部である。
【図２６Ｅ】図２６Ａ乃至図２６Ｅはカートリッジからのステープルの駆動及びステープル・ハウジングへの第２のカートリッジの前進の段階を示す一連の図であり、図２６Ｅはその一部である。
【図２７】本発明の一実施形態によるバレル型多重打ち出しステープラーを示す図である。
【発明を実施するための形態】
【００１０】
図１Ａは一般に多重打ち出しステープル・ヘッド１０を採用するステープラー又はステープラー・デバイス８を示す。ステープル・ヘッド１０は、ステープル・ハウジング又はステープル保持部材１２、及び細長いシャフト１８の末端部分における対向する顎部材１６Ａ，１６Ｂにより支持された対応する台座又は台座部材を含む。即ち、台座はステープル保持部材に装着されて、開放位置（図１Ａ）及び閉止位置（図１Ｂ及び図１Ｃ）に対して接近及び離間する旋回運動するようにされている。ステープル保持部材１２はステープルの配列を有し、その各々のステープルはステープル搬送位置即ち目標組織へ打ち出すべき「準備位置」にある。ステープル保持部材におけるステープル・ドライバ２０は、図１Ｂに示す第１の位置から図１Ｃに示す第２の位置へ前進して、準備位置のステープルをステープル・プッシャ２２を用いてステープル・ヘッド１０から組織へ駆動するように配置されている。使用中には、準備位置におけるステープルはステープル・プッシャ２２を用いて目標組織へ打ち出される。配列が打ち出されて、且つステープル・ドライバがその第２の位置から移動してその第１の位置へ戻った後、ステープル・ハウジング内の供給機構はステープルの第２の配列を一つ以上の保管場所から第２の配列の打ち出し用意のための準備位置へ前進させる。
【００１１】
再び図１Ａを参照すると、ステープル・ヘッド１０は、多数の開口２６を有するフェースプレート２４を含み、ステープル留め中には、その開口を通じてステープルがステープル・ヘッド１０を出る。従って、この開口２６は所望のステープル配列のパターンに配置され、これは好ましくは図２に見られるオフセット・ステープルの２−３−２パターンのような非直線パターンである。ハウジング１２内の内部供給機構はステープルのスタックからステープルを複数の開口２６に整合した準備位置へ供給するように機能する。図示の実施形態では、個別の供給機構が配列の各ステープルをその対応する準備位置へ移動させるように用いられている。しかしながら他の実施の態様は、ステープルを複数の準備位置へ供給する能力がある供給機構を用いてもよい。図２はステープル・ハウジング１２の平面図を示し、ここでは、ステープルを準備位置へ供給するのに用いられる供給機構を明らかに示すようにフェースプレート２４が取り外されている。図示のように、ステープル・ハウジング１２は複数のセル又はステープル保持チャンバ２８を含み、その数は配列におけるステープルの数に対応する。セル２８には幾多の形状を用いることができるが、図示の実施形態においては、各セル２８は中間区画２９Ａ及び狭い端部区画２９Ｂを含む。以下に明らかにするように、ステープル・ヘッド及び台座は対応する面、例えばフェースプレート２４を有し、これはステープル留め操作中に互いに向かって移動して、二つの面の間の組織ひだを捕捉し、ステープル留め操作中に組織ひだを保持する。
【００１２】
各セル２８は中間区画２９Ａに配置されたステープルの集積若しくはスタック３０を包含する。ステープル３０ａの一つは、覆っているフェースプレート２４の対応する開口２６（図１Ａ）に整合する準備位置３１にある。端部区画２９Ｂの一つには、供給機構があり、これは少なくとも一つのスプリング３２及びプレート３４を有する。図示のように、スプリング３２の一端はセル２８の壁に接触し、且つ他端はプレート３４の一面に接触する。プレート３４の反対面はステープル・スタック３０に接触している。プレート３４に対抗するスプリング力は準備位置３１における最端のステープル３０ａを偏倚させて、壁３６に接触させる。ステープルが準備位置から組織へ前進したとき、このスプリング力はスタックの次のステープルを準備位置３１へ前進させる。
【００１３】
様々な形式のスプリングを供給機構に用いてもよい。図２−図３Ｂに図示された実施形態においては、一対の圧縮スプリング３２が各セル２８内に用いられている。図４に示すように、各スプリング３２はプレート３４上の突起若しくはボタン３８により一端を支持されるようにしてもよい。
【００１４】
代替的なスプリング配置においては、圧縮スプリングは、図５Ａに示すような一つ以上のリーフスプリング３２Ａにより及び／又は図５Ｂに示すような一つ以上の弾性スプリング要素３２Ｂにより置き換えられる。また図５Ａは、チャンネル３５を有するハウジング内にあるステープル・スタック及び供給機構を図解しており、ステープル留めに続いて切断刃が組織切除のためにチャンネル３５を通過できるようにされていることに留意されたい。
【００１５】
図６は単独のセルとステープル・ハウジング１２を取り囲む領域との断面図である。この図は、バックプレート４８がフェースプレート２４からステープル・ハウジング１２の反対側に位置しており、且つフェースプレート２４上の対応する開口２６（そのうちの一つのみ図示する）に整合する開口５０（一つのみ図示する）を含むことを図解する。開口５０は、ステープル・プッシャをそれら開口を通じてステープル・ハウジング１２へ通過させて、ステープルをフェースプレート２４内の開口２６から出すように駆動する。
【００１６】
次に、ステープルを準備位置から組織を通じて押すために用いられる特徴について説明する。図１Ａを参照すると、ステープル・ドライバ２０は、プレートから延伸する複数のステープル・プッシャ２２を含める。リンケージ４０はステープル・ドライバ２０をステープル・ヘッド１０へ接続して、ステープル・プッシャ２２はバックプレート４８における開口５０に整合する（図６）。
【００１７】
リンケージ４０は第１のリンク４２を有し、これはステープル・プッシャ２２のプレートに枢軸に接続された第１の端部と引張りケーブル４４に接続された第２の端部とを有する。引張りケーブル４４はケーブル・ハウジング４５を通じてシャフト上のハンドルへ延伸する。第２のリンク４６は一端において第１のリンク４２の中間区画に枢軸に接続されて、且つその他端ではステープル・ハウジング１２に枢軸に接続される。リンケージは次のように構成されている。即ち、引張りケーブル４４への張力の適用がリンク４２，４６を図１Ｂに示す第１の位置から図１Ｃに示す第２の位置へ枢動させるので、ステープル・ドライバ２０をステープル・ハウジングへ向かって駆動し、ステープル・プッシャ２２をステープル・ハウジング１２へ通して、ステープルを図６に示す方式で駆動する。
【００１８】
ステープル・プッシャを前進させてステープル・ハウジングからステープルを駆動するために様々な他の方法を用いてもよい。各々が並進ステープル・ドライバを用いる幾つかの代替的な方法を図７Ａ乃至図９Ｅに概略的に示す。
【００１９】
図７Ａ−図７Ｃは、ステープル３０ａの線形配置を示し、これはステープル・ハウジング１２（これはカートリッジ若しくはマガジンとすることができる）から駆動して、ドライバ５２はステープルの後方スパンに平行な方向で可動である。この運動は図示のように液圧ピストン５１、又は引張りケーブル、リンケージ、回転入力及び他の手段により発生することができる。プッシャ５３はステープルの後方スパンと接触するように配置することができる。ドライバ５２は、複数の楔要素５４を含み、これは、ドライバが前進して、楔要素５４の傾斜楔５４がプッシャ５３に接触し、このプッシャがステープル・ハウジングにおける対応するチャンバからステープル３０ａを駆動するように配置されている（図７Ｂ及び図７Ｃ）。この実施形態の変形例では、プッシャ５３に単独の楔要素が設けられており、これは以下の図８Ａ−図９Ｅに示す方式と同様にステープルを連続的に駆動するために用いられる。
【００２０】
図７Ａ−図７Ｃに図示された例では、二つのステープル３０ａが同時に駆動されるが、任意の数のステープルを同様に駆動することができる。複数のドライバ５２とステープルの対応する列は、同じツール内に存在することができる。一旦ドライバ５２がハウジングからステープルを完全に駆動するならば、それはホーム・ポジションへ復帰する。この復帰は、個別の液圧回路の場合のようにオペレータ入力、又は機構を復帰させるケーブル、或いは、起動中に圧縮された単独又は複数のスプリングにより供給された力でそれ自体が復帰するドライバにより受動的に達成することができる。図示の実施形態において、ステープル留め中にプッシャ５３により圧縮されたスプリング５５は、ドライバがそれらの経路から移動した後に、プッシャ５３をハウジング内のそれらの初期位置へ復帰させる。ハウジング１２内の供給機構は、他の回のステープルを次の起動のために、本願の他の個所に明らかにされるように、準備位置へ前進させる。
【００２１】
図８Ａ−図８Ｅに図示された実施形態は図７Ａ−図７Ｃの実施形態と類似しているが、これは双方向性ステープル展開計画を採用する。図示のように、ドライバ５２Ａは、二つの傾斜端を有する楔要素５４Ａを含む。第１の方向のドライバ５２Ａの移動の間、ステープル３０ａの第１のセットは、組織へ連続的に駆動される（図８Ｂ及び８Ｃ）。一旦ステープルの第１セットが打ち出されるならば、他のステープル・セットを準備位置へ（ドライバの復帰経路で）運ぶことができるので、楔要素５４Ａの復帰運動は第２セットを組織へ展開することができる。図８Ａの実施形態に対する変形例では、複数の双方向性楔要素が図７Ａの実施形態における楔要素の位置と同様に位置しており、ドライバにおける複数の楔要素を用いて同時前進を可能とする。この変形例では、第１の方向におけるドライバの運動はステープルの第１のセットを駆動し、次いで反対方向のドライバの運動はステープルの第２のセットを駆動して第１のステープルにより空けられた準備位置へ供給する。
【００２２】
図７Ａ及び８Ａの実施形態に対する変形例では、ステープルはステープル・ハウジングへ指向させて、ステープル後方スパンが図７Ａ及び図８Ａに示される位置から９０度回動するようにしてもよい（即ち、ステープルが復帰して後方スパンが図７Ａ及び図８Ａの紙面へ出入りするように延伸する）。この設計を用いる一つの形態は図９Ａ−図９Ｅに示される。図９Ａは、バックプレートを取り外してハウジング１２ａを示しており、単純化のためにドライバ及びステープルは一つの列のみを示す。実際には、各々の列はステープルが充填されており、所望の作動計画に従い、各々の列は台座へ個別に又はグループで駆動することができる。付加的に、ステープルはドライバに対して９０度以外の角度における後方スパンを有して配置することができる。
【００２３】
図９Ｂ−９Ｅを参照すると、ドライバ５２Ｂは楔５４Ｂを含む。ステープル後方スパンは、ドライバ５２Ｂの運動の方向に対して横断する。図９Ｂにおいて、楔はその開始位置にある。ステープルを駆動するために、ドライバは、ケーブルにより、或いは適切な力を与える任意の手段により起動される可撓な要素により、右方へ引っ張られる。ドライバ５２Ｂが移動するにつれて、それは各々のステープルの上に位置する傾斜キャップ５３Ｂを下方へ押しやる。このキャップ５３Ｂは、組織を通じてステープルを駆動して、台座（図示せず）へ向かわせる。前述の実施形態と同様に、スプリング又は他の要素を用いてキャップを初期位置へ復帰させてもよい。即ち、楔又はステープル・ドライバは、第１の位置（図９Ａ）から第２の位置（図９Ｅ）への移動のために、前記ステープル保持部材上に支持されており、その第２の位置では、チャンバの選択された直線配列内のステープル準備位置内における複数のステープルを台座部材に対してステープル保持部材から前進させて、二つの部材の間に捕捉された組織を通じてステープルの直線配列を形成する。このデバイスは、チャンバの各直線配列のための個別のステープル・ドライバを有してもよく、或いは単独のステープル・ドライバをチャンバの望ましい列に配置してもよい。このチャンバは、上述のように、単独のステープル、或いは各々の打ち出しでステープル準備位置へ供給される複数のステープルを包含してもよい。
【００２４】
他の実施形態においては、図示しないステープル・ドライバは、各チャンバについて一つずつ、複数の楔を含み、ステープル・ドライバのその第１の位置から第２の位置への移動は、各楔に対応するチャンバを横断させて、そのチャンバからステープルを放出させる。
【００２５】
図９に示されたデバイスは、（ａ）ステープル保持部材であり、複数のステープル保持チャンバの複数の列と、各チャンバ内に支持された少なくとも一つのステープルとを有し、各チャンバ内の少なくとも一つのステープルは、そのチャンバ内のステープル準備位置に配置されたステープル保持部材と、（ｂ）台座部材であり、ステープル保持部材と台座との間に支持された組織をステープル留めするために、ステープル保持部材に対して可動な台座部材と、（ｃ）前記ステープル保持部材上に支持されて第１の位置から第２の位置への移動のためのステープル・ドライバであり、その第２の位置では、チャンバの選択された直線配列内のステープル準備位置内における複数のステープルを台座部材に対してステープル保持部材から前進させて、二つの部材の間に捕捉された組織を通じてステープルの直線配列を形成する。この実施形態では、個別のステープル・ドライバをステープルの各列について設けられている。
【００２６】
関連した実施形態においては、図２７に示すように、符号２５０で示される多重打ち出しステープルはバレル２５２を有し、これは例えば符号２５４，２５６で示すように、チューブ２５５の周りで回動し、ステープル対の各列の各々を台座２５８に対するステープル放出のための位置へ連続的に配置する。カートリッジ上のステープル列がステープル留め位置（図における列２５７）へ回動して、組織がこの列に押しつけられて配置されたとき、台座は、その間に組織を捕捉するステープル放出領域に対して移動し、ステープル・ドライバ（例えば、チューブ２５５を通じて引っ張られるステープル駆動楔）は、台座に対してステープルをその列から放出するように起動されて、捕捉された組織ひだを通じて二つの密接に離間したステープルの列を形成する。
【００２７】
図１０Ａ乃至図１０Ｃは、ステープルを準備位置から打ち出して、次いで準備位置における打ち出されたステープルをスタックにおける次のステープルへ置き換えるステープル・プッシャ及び自動供給機構の操作を概略的に図解する。図１０Ａを参照すると、ステープル打ち出しの前に、スプリング（図１０Ａには図示されない）によりプレート３４に対して与えられるスプリング力Ｆの働きのために、ステープル３０ａは準備位置で偏倚する。ステープル・プッシャ２２は、上述のように前進して、ステープルを打ち出す（図１０Ｂ）。プレート３４に対する定常的なスプリング力Ｆのために、ステープル３０ａが準備位置を離れると直ちに、これは準備位置においてスタック３０における次のステープル３０ｂによって置き換えられる（図１０Ｃ）。このステープルの準備位置への自動再装填は、セル内の各々のステープル３０ａ-３０ｎが打ち出されるように、それ自体が繰り返される。
【００２８】
全てのステープル３０ａ-３０ｎが打ち出された後、更なるステープル留めが必要とされるならば、ステープル・ハウジングは新たな装填ステープルで再充填してもよい。
本明細書に開示されたステープル・ハウジング及びステープル・カートリッジは、任意の適宜なステープル又はステープル・スタックと共に用いてもよい。ステープル・スタックは、図１１に示すように平坦材料５８の一枚のシートを用いて形成してもよい。縦切り込み線６０をシート５８の一側に形成すると共に、シートの端部６２は、ステープル脚の先端になるものを形成するために面取りする。シート５８を図１２に示す形状へ折り曲げ、ここでは切り込み線６０が個々のステープルになるもの間の分割線としての役割をなす。この配置では、各時間にステープル・プッシャが駆動されて、これにより、最端のステープルを平坦材料のシートから剪断して、組織へ駆動する。
【００２９】
次に、ステープラーの使用について説明する。使用に先だって、ステープル・スタック３０はステープル・ハウジング１２のセルへ装填される。図１３に示すように閉止状態にある顎１６ａ，１６ｂによれば、ステープル・ヘッド１０は、ステープル留めされる組織の位置へ進められる。次に、ステープル・シャフトのハンドル上の制御要素２０は、顎を開放して図１４に示される状態にするために操作される。当業者に公知の様々な構成を用いて顎を開閉するようにしてもよい。図示の実施形態は、顎１６ａ，１６ｂに接続されたリンケージ６４を採用する。リンケージ６４はピストン６６を用いて起動され、リンケージを拡張させる液圧又は機械的手段を用いてそれは遠位に動かされて顎を開放する（図１４）と共に、近位へ動かされてリンケージを縮めてさせて、顎を閉止する（図１３）。
【００３０】
開放された顎１６ａ，１６ｂによれば、ステープル留めされる組織はステープル・ハウジング１２と台座１４との間に位置する。ステープルは、この目的のために有益な一体型組織捕捉デバイスを備えていてもよい。適宜な組織捕捉デバイスは、共有に係る以下の米国出願に説明されている。即ち、出願番号第１２／１１９，３２９号（２００８年５月１２日出願、発明の名称ＤＥＶＩＣＥＳ  ＡＮＤ  ＭＥＴＨＯＤＳ  ＦＯＲ  ＳＴＯＭＡＣＨ  ＰＡＲＴＩＴＩＯＮＩＮＧ）、出願番号第１２／０５０，１６９号（２００８年３月１８日出願、発明の名称ＥＮＤＯＳＣＯＰＩＣ  ＳＴＡＰＬＩＮＧ  ＤＥＶＩＣＥＳ  ＡＮＤ  ＭＥＴＨＯＤＳ）及び出願番号第１２／２６８，２１６号（発明の名称  ＴＩＳＳＵＥ  ＡＣＱＵＩＳＩＴＩＯＮ  ＤＥＶＩＣＥＳ  ＡＮＤ  ＭＥＴＨＯＤＳ、本願と同日出願（代理人整理番号ＢＡＲ０-２２００））である。その出願では、組織は真空源を用いている真空ヘッドへ捕捉されて、その捕捉された組織は把持器により（例えば、組織位置決め、操作のために）保持される。或いは、一つ以上の独立して可動な機械的器具、例えば組織把持器は、選択された組織領域で組織を捕捉又は係合させて、ステープルの顎の間に把持された組織を、即ちカートリッジ（ステープル保持部材）と台座との間で移動させるようにしてもよい。
【００３１】
一旦、組織がカートリッジと台座との間に捕捉されたならば、顎は再び閉止（図１３）して、組織に対してステープル・ハウジング及び台座を閉止することにより、ステープル留めに備えて組織を圧縮する。ケーブル４４（図１Ａ）が起動してステープル・ドライバ２０をステープル・ハウジング１２へ向かって駆動して、ステープル・プッシャ２２をステープル・ハウジング１２（図１５）へ向かって駆動して、組織を通じてステープルの配列を打ち出す。ステープルでは典型的であるように、ステープルの自由脚部は台座面における対応する凹所（図示せず）に対して折り重なる。
【００３２】
緊張がケーブル４４から自由にされるとき、スプリング（図示せず）はステープル・ドライバ２０に図１３に示される収納位置を強いる。一旦ステープル・ドライバ２０がステープル・ハウジングから引き出されると、即ちその第２の位置から第1の位置まで移動すると、（図１０Ａ乃至図１０Ｃに関連して説明したように）新たなステープルが各々のセルの準備位置へ移動し、ステープラーは第２のステープル配列の展開のために直ちに準備される。
【００３３】
図１６は多重打ち出しステープラー又はステープラー・ドライブ１１０の代替的実施形態の側面図である。このデバイスは係合シャフト１１４へ装着されたステープラー・ヘッド１１２を含む。以下に明らかになるように、ステープラー・ヘッド１１２は、ヘッドを患者の胃へ経口的に挿入できる圧縮された実質的に円筒状状態と、拡張された組織捕捉状態との間で、軸１２３に沿って往復移動するように設計されている。ステープラー・ヘッドは、ステープル・ハウジング又はステープル保持部材１１６（これは交換可能なステープル・カートリッジとしてもよい）と台座又は台座部材１１８を含む。ステープル保持部材及び台座部材は、それぞれ対面組織接触面１１７，１１９を有し、これら接触面は、それらの間に組織捕捉チャンバ１２１（例えば真空チャンバ）を規定する。
【００３４】
ステープル保持部材及び台座ステープラー・ヘッド１１２は、これらが互いに接近及び離間する運動を可能とするように結合構造又はリンケージ（例えば図１６に示すアーム１１５）によって結合されている。図１６から明らかなように、リンケージ・アームは、ヘッドの収縮状態において、実質的に直線且つ平行であり、漸進的に外方へ拡張し、ステープル保持部材及び台座が互いへ向かって引かれるにつれて、ステープル保持部材及び台座が外方へ漸進的に拡張して、組織捕捉チャンバで組織ひだを捕捉する。延伸アームは組織捕捉チャンバの面寸法（即ち、デバイスの往復運動軸に対して垂直なチャンバの領域）を増大して、組織捕捉及びステープル留め操作中に組織ひだの増大領域をチャンバへ引き込む。これらの特徴は、共有に係る米国出願第１２／０５６，１６９号（２００８年３月１８日出願、発明の名称  ＥＮＤＯＳＣＯＰＩＣ  ＳＴＡＰＬＩＮＧ  ＤＥＶＩＣＥＳ  ＡＮＤ  ＭＥＴＨＯＤＳ）により詳細に説明されており、これは参照により本明細書に組み込まれている。その出願に詳述されるように、デバイスは、切断要素（例えば中空円形刃）を更に含んでもよく、これはデバイスの往復軸に沿って移動し、ステープル・ドライブに対して独立に、又は結合されて、ステープル留め期間若しくはその後に組織に穴を形成する。これまた参照出願に開示されているように、デバイス内の組織捕捉チャンバは真空チャンバとしてもよく、デバイスはチャンバへ真空を適用する真空ポートを含み、組織をチャンバへ引き込む。この実施形態では、可撓なシース（図示しない）がステープル保持部材と台座部材との間で延伸し、シースはヘッドの一側面に開口を有し、これを通じて組織をチャンバへ引き込み得る。
【００３５】
第１の実施形態のハウジングと同様に、カートリッジ１１６は、ステープルのアレイを同時に打ち出し、且つ最初の配列が放出されると後続のステープルの配列を自動的に再装填するように設計された多重打ち出しユニットである。アレイ内のステープルは、様々なパターンに配置することができ、これは図１６の実施形態に関連して示される矩形パターンを含むが、これに限定されるものではない。
【００３６】
カートリッジ又はステープル保持部材１１６の特徴は、図１７及び図１８に示される拡大図を参照して先ず説明される。カートリッジは、前方ハウジング１２０，中間ハウジング１２２、及び後方ハウジング１２４を含む。前方ハウジング１２０はカートリッジの遠位端に位置しており、ステープル留め期間中にステープル留めすべき組織に接触するプレート１２６を含む。離間部材１２８は基端方向においてプレート１２６から長手方向へ延出する。部材１２８の各々は円周チャンネル１３０を含む。プレート１２６は、中間ハウジング１２２を受け入れるように配置された中央切り欠き１３２を含む。
【００３７】
後方ハウジング１２４はプレート１３４を有し、これは中央ハウジング１２２を受け入れるように配置された切り欠き１３６を持つ。離間部材１３８は末端方向においてプレート１３４から長手方向へ延出する。部材１３８は円周チャンネル１４０を有する。
【００３８】
中間ハウジング１２２は縦側壁１４２を有し、これは、中間ハウジング１２２を前方及び後方ハウジングの中央切り欠き１３２，１３６へ摺動させるように配置されている。側壁１４２の各々は、この側壁１４２上で中央に位置する縦方向延出第１チャンネル１４４と、この第１のチャンネル１４４内の中央に位置する縦方向延出第２チャンネル１４６とを有する。
【００３９】
図２１Ａに示されるように、組み立てられたカートリッジにおいて、中間ハウジング１２２は前方ハウジングと後方ハウジングとの切り欠きの間で延出する。前方ハウジング１２０の縦方向延伸部材１２８は後方ハウジングの縦方向延伸部材１３８の間に配置されて、壁１２８のチャンネル１３０が壁１３８のチャンネル１４０に整合して、カートリッジ１１６の周囲に延出する連続円周チャンネルを形成する。以下により詳細に説明するように、圧縮バンド１５２（図１８も参照のこと）は、この円周チャンネル内に配置されている。
【００４０】
ハウジング１２０，１２２，１２４が組み立てられたとき、それらの様々な壁の間の間隙はチャンバを形成し、その中には使用中にステープルが位置する。図２１Ａ及び２１Ｂを参照すると、矩形Ｕ字状チャンバ１４８は縦方向延伸部材１２８の各々とその隣接する部材１３８との間に配置されている。図１７及び図２２はステープル３０のスタック若しくは集積が各々のチャンバに配置されていることを図解している。図示の実施形態のステープルの四つのスタックに対応して、このようなチャンバ１４８が全部で四つ示されている。
【００４１】
各々のステープルは、その対応するチャンバ内に位置し、その脚はチャンバの縦方向延伸枝に配置されており、ステープルの交差部材若しくは後方スパンはチャンバの横方向延伸部分内にある。チャンバ１４８の各々は、矩形Ｖ字状ステープル前進要素１５０も包含し、これはステープル３０の径方向の最外側の一つに隣接する。
【００４２】
圧縮バンド１５２は、整合チャンネル１３０，１４０により形成された周方向チャンネル内に配置されている。圧縮バンドの内部壁は、カートリッジにおけるステープル前進要素１５０の縦方向延出脚に接触する。圧縮バンドの径方向内方スプリング力は、ステープル前進要素１５０、ひいては全てのステープルを径方向内方へ偏倚させる。
【００４３】
図２２を再度参照すると、中間ハウジング１２２の縦チャンネル１４４，１４６は、前方及び後方ハウジング１２０，１２４における切り欠きを規定する壁を有するチャンバ１４８を形成する。各スタックにおける最内側のステープル３０ａは圧縮バンド１５２の径方向内方力によりチャンバ１４８へ偏倚する。チャンバ１５４内のステープルは、準備位置にあり、カートリッジから隣接する組織への前進の進歩のための準備ができている。
【００４４】
図１９は、後方ハウジングの要素１３８の間の前方ハウジングの要素１２８の挿入のために整列している前方及び後方ハウジングを示す。この図は、所定のスタックのための準備位置ステープル３０ａ、残りのステープル３０ｂ−ｎ、所定のスタックについてのステープル前進要素１５０を進めているステープルの位置を最も良く示す。図示のように、準備位置ステープル３０ａは、第１のチャンネル１４４に沿う中央ハウジング１２２の壁に対して偏倚する。圧縮バンド１５２は、明瞭化のために取り外されている。
【００４５】
ステープル・プッシャ・アセンブリ又はステープル・ドライバ１５６（図１７及び図２０）は、準備位置にあるステープルをカートリッジから組織へ推進させるために設けられている。ステープル・プッシャ・アセンブリ１５６は、チャンバ１５４の対応する一つ内の末端方向に摺動可能なプッシャ要素１５８を含む。各プッシャ要素はプレート１６０を有し、これは中間ハウジング（図１９）のチャンネル１４４の対応する一つを通じて摺動し、準備位置ステープル３０ａをチャンネルへ偏倚させる。プレート１６０の内方対面表面上のリブ１６２は、関係するチャンネル１４６を通じて摺動し、プッシャ・アセンブリ１５６と中間ハウジングとの適切な整合を保持する。プッシャ・アセンブリ１５６は、共有に係る米国出願第１２/０５０１６９号（２００８年３月１８日出願、発明の名称  ＥＮＤＯＳＣＯＰＩＣ  ＳＴＡＰＬＩＮＧ  ＤＥＶＩＣＥＳ  ＡＮＤ  ＭＥＴＨＯＤＳ）に説明された油圧起動ピストン、又は他の３０の手段により前進し得る。
【００４６】
図２３Ａ乃至図２３Ｃは、更なる打ち出しに備えてのステープル位置のステープル打ち出し及び後続の再装填を例示する一連の断面図である。図２３Ａは、ステープルの第１の配列の打ち出しに先立つカートリッジを示す。図示のように、プッシャ・アセンブリ１５６は完全に収縮若しくは第１の位置にある。各々のステープル・スタック３０において最も径方向内側に位置するステープル３０ａは、チャンバ１５４における準備位置に配置されている。各々のスタックの第２、第３等のステープル３０ｂ-ｎはチャンバ１４８内に位置している。図２３Ａの図示において、ステープル３０ｂ-ｎは断面図のみがＵ字状チャンバ１４８の対応部分に沿って可視である。図２３Ｂはプッシャ・アセンブリ１５６がカートリッジからのステープル３０ａの押し出しを完了する位置を示す。台座（これに対しては、折り重なったステープルの脚が置かれる）は図２３Ａ−Ｃには示されていない。図示のように、プッシャ・アセンブリにおけるステープル・ドライバのその第１の位置（図２３Ａ）からその第２の位置（図２３Ｂ）への移動は、四つのステープルに同時に係合し、それらをステープル保持部材から強制的に押し出す。実際の操作において、ステープルは組織ひだを通じて台座へ対して押し進められ、捕捉されたひだにステープルを形成する。
【００４７】
プッシャ・アセンブリは次いで図２３Ｃに示すように収縮し、即ちその第２の位置からその第１の位置へ戻るように移動する。このことが起こると、ステープル前進要素１５０に対する圧縮バンド１５２の径内方向力は、各スタック内の次のステープルを、駆動される最初のステープルによって空け渡される準備位置（即ち、経路１４４内）へ押す。ステープル・ヘッドは、ステープル留めされるべき第２の組織領域へ再位置決めしてもよく、このとき、プッシャ・アセンブリは再び前進してステープルの第２の配列を組織へ駆動する。この工程は、所望の数の配列が組織（例えば胃内の異なる選択された組織領域）へ適用されるまで、及び／又はステープルのセットが使い果たされるまで繰り返される。カートリッジが全てのステープルを出して空の状態になった後、更なるステープルが必要であるならば、ステープル・ヘッドを患者から引き出して、カートリッジをステープルから取り外して、ステープルが充填されたカートリッジと交換してもよい。或いは、圧縮バンド及びステープル前進要素を取り外して、ステープルをチャンバ１５４へ挿入し、次いでステープル前進要素及び圧縮バンドを再配置することにより、既存のカートリッジを補充してもよい。開示された多重打ち出しステープル・ハウジングは様々な処置を実行するのに有益であり、これは胃の分割及び／又はインプラントを保持するための胃壁ひだ形成を含むが、これらに限定されるものではない。
【００４８】
例えば、開示された多重打ち出しハウジングは、胃壁分割システムに採用してもよい。胃壁の領域が内側に引かれる（二層を「挟み付け」又は組織の折り畳みを胃外部へ至らせる）とき、胃の外側上の漿膜組織の対応する領域は互いに対面して配置される。共有に係る米国特許出願第１２/１１９,３２９号（２００８年５月１２日出願、発明の名称  ＤＥＶＩＣＥＳ  ＡＮＤ  ＭＥＴＨＯＤＳ  ＦＯＲ  ＳＴＯＭＡＣＨ  ＰＡＲＴＩＴＩＯＮＩＮＧ）に開示された胃壁分割方法においては、胃壁の二つ以上のそのような領域若しくは挟みは、係合／把持して、口を経て胃へ通される器具を用いて内側へ引かれる。二つ以上の組織の挟み付けは折り畳まれて、ステープル又は他のファスナーが挟み付けを通るにつれて、互いに完全に又は部分的に整合し、四層組織ひだが形成される。
【００４９】
この形式の多重ひだは、基部胃から遠位胃への食物の流れを制限する胃内に遮蔽又は狭窄を形成することにより体重減少を誘発するか、及び／又は胃容積を効果的に低減して、患者が比較的少ない量を食した後に、満腹感を生じさせるために用いてもよい。ひだを用いて形成された分割も胃と食道との間に遮蔽を形成して還流を最小化するためのＧＥＲＤのための処置として用いてもよい。
【００５０】
共有に係る米国特許出願第１２／１７５,２４２号（２００８年７月１７日出願、発明の名称ＥＮＤＯＳＣＯＰＩＣ  ＩＭＰＬＡＮＴ  ＳＹＳＴＥＭ  ＡＮＤ  ＭＥＴＨＯＤ）及び米国特許出願第１２／０５０，１６９号（２００８年３月１８日出願、発明の名称ＥＮＤＯＳＣＯＰＩＣ  ＳＴＡＰＬＩＮＧ  ＤＥＶＩＣＥＳ  ＡＮＤ  ＭＥＴＨＯＤＳ）は、胃壁組織の挟みを内側へ引いて、組織折り畳みを形成すること、次いでステープル配列又は他の締結手段を組織折り畳みへ適用してひだを保持することによるひだの形成を説明している。穴をひだに形成して、インプラント又はアンカー（これには更なるインプラントが結合される）を受け入れるようにしてもよい。
【００５１】
開示された多重打ち出しステープル・ハウジングは、各々のひだの形成の後に胃からステープル・ヘッドを取り外すことを必要とすることなく、必要なひだの各々の連続的形成を可能とすることにより、この種の処置を非常に容易にする。換言すれば、ステープル配列を組織へ施してひだを形成した後、ステープル・ヘッドを即座に再位置決めして、第２の及びそれに続くひだを形成してもよく、これは全て、新たなステープルの再充填若しくは交換のために身体からステープル・ヘッドを取り外す必要がない。従って、胃壁分割又はひだの集積は、従来可能だったより時間よりも少ない時間で形成し得る。
【００５２】
上記に開示したステープル構成に加えて、代替的な構成が適当であり、上記に開示した形式の供給機構と共に用いることができる。
一つの代替的なステープル構成においては、複数のステープルは脚が隣接して、後方スパンが接しないチェーンを形成する。この構成は、「ＵＵＵＵＵＵＵＵ」のように見えるが、ステープル要素の重なり合いも可能である。チェーンにおける一つのステープルは、ステープル・ハウジングにおける準備位置から駆動されて、駆動部材が収縮して、次のステープルが準備位置へ移動して、この供給動作は主にステープルの後方スパンの軸に沿う。複数のステープルは一つずつ打ち出してもよく、複数を同時に打ち出してもよく、或いは一つのグループ（又は単独のステープル）を打ち出しながら、他のグループ（又は単独のステープル）を再充填する交番時間で打ち出してもよい。
【００５３】
放射状又は「リボルバ」形式ステープル構成では、ステープルは車輪のスポークのように配置されて車輪内に収容され、又はステープル脚でベルト上に置かれ、或いは、車輪の軸と概ね平行に駆動する方向に（リボルバの薬室の弾丸のように）配置される。一例として、１２のステープルの３つ（何れもリングに関して均等に離間されているかいないかである）を進めることができ、駆動部材が収縮されて、駆動部材が次の３つのステープルを割り当てるか、他のステープル・マガジンが割り当てて、次の３つのステープルがドライバと整合する。この運動は、各々３つのステープルの計４回の打ち出しに亘って続けることができる。変更例では、フェリス（ｆｅｒｒｉｓ）車輪形式構成では、ステープルはステープルの脚が車輪の軸に対して垂直をなして配向されるか、或いは非円形ベルトに置かれる。この場合、ドライバはステープルを内側から外側へ向けて、或いは車輪又はベルトの外側からの内側へ向けてステープルを駆動する。
【００５４】
他の実施形態は、複数のステープルの平坦な入れ子状配置を用いる。例えば、ステープルを保管する薄型の方法は、これらを互いに平坦に置いて、各々の一つを先行する一つの僅かに前方に置いて、それらが倒れた後にドミノ状になるようにすることである。この場合、駆動すべきステープルの上に傾斜させる方法が用いられる。傾斜させない二重形成もこれを可能とする。この例では、ステープルは前方へ押されて、下方へ曲げられて、典型的なＢ字状へ潰れる。
【００５５】
他の配置においては、ステープルの配列又はマガジンは、ステープルのグループのチェーンから成る。ステープルはチェーンのリンクに収納されて、これは駆動部材と相互作用するように設計されている。チェーンのリンクが、１乃至５又はそれ以上のステープルと共に前進するとき、それらのステープルを駆動し得る。ドライバの収縮と同時に、チェーンを前進させて、使い果たしたリンクは駆動領域を越えて押され、新たなリンクが駆動領域へ前進させられる。使い果たしたリンクは束縛領域へ移動させるか、或いはデバイスから進めて出すことができる。同様に、装填されたリンクは束縛領域に収容するか、或いはデバイスの外包体を越えて延伸することができる。この例又はこの説明の他の部分で記載したチェーンの材料が生物学的適合性又は生体吸収型であるならば、チェーンのリンクは内腔内に破棄することができるか、或いはステープル・ラインへ取り込むことができるので、打ち出し後の管理を必要とする使い果たしたチェーンの材料は全く無いか僅かである。
【００５６】
この概念を採用するステープルの１つの実施例を次に説明する。図２４は、ステープル・ヘッド２１０を示し、これはステープル保持ハウジング若しくはステープル保持部材２１２と、台座若しくは台座部材２１４とを含む。３つのステープル・カートリッジ２１６ａ−ｃが示される。カートリッジ２１６ａはハウジング２１２及び対面台座２１４へ結合されて示されており、複数のステープルを包含してステープル搬送のために位置し、即ちドライバを収容し、このドライバは、カートリッジと台座との間に置かれた組織にカートリッジからステープルを打ち出す。カートリッジ２１６ｂ（これはすでに打ち出されている）は背後にある。他方のカートリッジ２１６ｂは最前面にあり、ステープルを再装填するためにカートリッジと台座との間の位置への前進を待機する。カートリッジ２１６ａ-cは図示のように一緒に可撓に結合されている。より一般的に、カートリッジは、カートリッジの列（これは例えば可撓なテザー又は一つのカートリッジの出口端を他の入口端に接続する枢軸ジョイント継手による）としてのステープル保持部材のカートリッジ・チャンバへの連続的装填のために支持してもよい。或いは、カートリッジはチャンバからステープル保持部材への連続通過のためにチャンバ内に収容することができる。相互カートリッジ接続又はハウジングは、ステープル保持部材に対する連続的装填及び放出のためにカートリッジを支持する手段を形成する。
【００５７】
図２５は、ハウジング２１２への前進に先立つカートリッジの拡大図を示す。カートリッジの端部におけるウィング２１８は、カートリッジが台座ピボット２２０より上の台座エクステンションを通過するにつれて、内側へ曲がる。カートリッジが一旦台座エクステンションを通過するならば、これらは外側へ跳ねて、ステープル留め力がカートリッジから台座へ向かってステープルを駆動するように加えられたとき、カートリッジは僅かに後方に摺動し、このウィングは台座ピボットより上に台座エクステンションを押す。これは、ステープル留め力が台座とカートリッジ面とを押し離した後でさえも、台座をカートリッジ面に整合させて保つことに役立つ。
【００５８】
図２５に最もよく示されるように、各々のカートリッジは、複数のステープルを受けるように寸法付けられた複数のスロット２２２を含む。キャップ２２４は、スロット内のステープルの後方スパンの上に配置されている。キャップ２２４は、図２５においては単に２つのスロット２２２で示される。各々のキャップ２２４は、勾配表面２２６を含む。使用中に、４つのスロット２２２の各々は、ステープル及びキャップ２２４で充填し得る。
【００５９】
図２６Ａを参照すると、駆動楔２３２は、４つの楔形プレートを有しており（その一つだけが見える）、その各々はスロット２２２の１つへ延伸する。ケーブル引き手又は他の機構はハウジング２１２を通じて縦方向へ駆動楔を（図面中では左から右へ）前進させて、楔形プレートがスロット２２２を通じて移動するように設けられている。楔形プレートは、次のように位置している。即ち、楔形プレートがスロット内を移動するときに、それらは所定のスロット２２２内で様々なステープルＳ（図２６Ａ−Ｅ）に対応するキャップ２２４に接触し（これは図９Ｂに関連して説明したのと同様な方式である）、それによってステープルをハウジングと台座との間に位置する組織へ打ち込む。
【００６０】
スプリング２２８はハウジング２１２におけるチャンネル内に配置されており、ユーザーがケーブル又は他の力伝達要素を起動することにより、駆動楔２３２が移動するにつれて、スプリングが圧縮されるように構成されている。例えば、楔２３２はスプリング２２８によって延伸しているケーブルへ結合して、スプリング２２８上のキャップ２３４へ取り付けて、楔が図２６Ａにおいて５つ右へ移動して、ケーブルがキャップ２３４を左へ引っ張り、スプリングを圧縮するようにしてもよい。第２のスプリング２３０は、駆動楔２３２へ取り付けられて、カートリッジにおいて溝２３８（図２５）に重なるレバー２３６により圧縮される。この溝２３８は楔のストローク端部において深さが増大するので、レバー２３６がその移動の端部において落下させるためのノッチ２４０が与えられる。
【００６１】
図２６Ａは、ステープル・ヘッド２１０を示し、ここではステープルがカートリッジ２１６ｂから既に打ち出された後であって、カートリッジ２１６ａがハウジングへ移動した後であり、そのステープルが打ち出しの準備ができているステープル搬送位置にある。図２６Ａ−２６Ｃは、楔２３２がステープル駆動要素又はキャップ２３４上を引かれるにつれてのステープル展開の段階を示す。楔２３２は定位置（図２６Ａ）からカートリッジを通じて移動して、ステープルを組織を通じて展開し、それらの脚が台座２１４に対して折り重なる。楔が前進するにつれて、スプリング２２８が圧縮される。楔がその移動の端部に到達するにつれて、図２６Ｄに示すように、レバー２３６はノッチ２４０へ枢動する。ユーザーが（例えば引っ張りケーブルの解除により）楔を引くのを止めたとき、負荷復帰スプリング２２８は非負荷状態になり、楔２３２及びレバー２３６を定位置へ向けて駆動し、これは図２６Ａ−Ｆの図示においては左へ向かう。レバー２３６は溝２３８の壁２４２を押す。このようにして、カートリッジ２１６ａに結合する次の装填カートリッジ２１６ｂを引き込みながら、使い果たされたカートリッジ２１６ａを駆動してステープラーから出す（図２６Ｅ）。このように、レバーは、カートリッジ・ステープルが放出された後に、カートリッジをステープル保持部材から解除するための解除機構を形成する。
【００６２】
ステープラーが再位置決めされて、このシーケンスは全てのカートリッジが打ち出されるか又はステープル留めが完了するまで繰り返される。
現在生産されている直線ステープルに相当する機械的に単純なレバーを維持するが、患者からステープラーを引き出す必要のない多重打ち出し能力を可能にすることは有益であろう。この設計では、使い果たしたカートリッジは放出されて、適所に落下するように製作されるか、或いは、テザーで繋がれるか、さもなければ、ステープラー又はステープラーへ装填される次のカートリッジへ接続される。装填は既に患者内にある器具、又はその器具自身の内部の付加的機構により達成され、これはステープラー・ヘッドへ進められる新たなカートリッジの運搬装置又はコンジットを形成するか、若しくはその役割を果たす。
【００６３】
上述の分類は排他的ではなく、例えば放射ドライバ又はマガジン運動は、積み重ね式、平坦な入れ子式、或いはチェーン状ステープル配置と組み合わせることができる。
上述に特定された実施形態の幾多の変形例が上述の説明を鑑みれば当業者には明らかであることを認識されたい。更に、開示された実施形態の特徴は、付加的な実施形態を生成する様々な方式で、互いに他の特徴（本明細書に参照した先願における教示を含む）に組み合わせてもよい。従って、本発明は、ここに図示されて説明された本発明の特定の実施形態及び方法によって限定されるものではない。列挙された用途及び方法は、
列挙された疾患の治療又は処置に限定されるものではない。上述した方法及び器具の変更例及び本発明の当業者に明らかな変形例は本開示事項の主旨の範囲内にあることが意図されている。
【００６４】
上述に参照した何れか及び全ての特許、特許出願、印刷刊行物は、優先権の目的によるものを含めて、参照により本明細書に組み込まれている。
本願明細書から抽出される技術的思想を付記する。
【００６５】
一つの態様において、本願は、被験者の胃へ経口的に導入されることにより、被験者の胃内の複数の組織領域を捕捉且つステープル留めするデバイスを含む。このデバイスは、作動状態で、(ａ)多重打ち出しステープル・ヘッドであり、このヘッドを胃へ経口的に挿入可能な収縮状態と、拡張された組織捕捉状態との間で軸に沿って往復運動するように設計された多重打ち出しステープル・ヘッドと、(ｂ)このヘッドが取り付けられ、且つそのヘッドをその収縮状態で経口的に胃へ導入可能とするシャフトと、（ｃ）胃内の組織を捕捉する組織捕捉デバイスとを備える。
【００６６】
多重打ち出しステープル・ヘッドは、（ｉ）ステープル保持部材を備え、このステープル保持部材は、軸の周りのパターンに配列された複数のステープル保持チャンバであり、各チャンバはステープル準備位置において終端するステープル保持チャンバと、各チャンバ内のステープルの一つをそのチャンバにおける前記ステープル準備位置に位置させる各チャンバ内の複数のステープル・ヘッドと、ステープル・ドライバであり、このステープル・ドライバが第１の位置から第２の位置へ移動したときに、各チャンバ内のステープル準備位置にあるステープルを係合させて、この係合されたステープルを駆動して組織接触面を横断させて前記ステープル保持部材から出し、このステープル・ドライバのその第２の位置から第１の位置への移動は各チャンバにおける新たなステープルをステープル準備位置へ前進させるステープル・ドライバとを有する。
【００６７】
更にステープル・ヘッドに含まれているのは、（ｉｉ）台座部材、（ｉｉｉ）ステープル保持部材と台座部材との突き合せ面の間に規定された組織捕捉チャンバ、及び（ｉｖ）ステープル保持部材と台座部材とを軸に沿って往復移動させ、収縮状態と、組織捕捉チャンバが拡張された面積寸法を有して、且つチャンバ内の組織ひだをステープル保持部材と台座部材との間に捕捉させる拡張状態との間で、互いに接近及び離間するように結合する構造である。
【００６８】
複数のステープル保持チャンバは軸の周りに対称的に配置してもよい。一つの例示的な実施形態において、複数のステープル保持チャンバは、軸の周りの矩形パターンで配置された四つのチャンバを含む。
【００６９】
ステープル・ヘッドは、切断要素を更に含んでもよく、これは、ステープル・ドライバに対して独立に又は結合して軸に沿って移動して、ステープル留めすべき組織ひだに穴を形成する。
【００７０】
組織捕捉デバイスは、ステープル保持部材内に包含された真空チャンバとしてもよく、このデバイスは、組織をチャンバへ引き込むように、チャンバへ真空を加える真空ポートを更に含んでもよい。代替的に、組織捕捉デバイスは、組織ひだに係合して、この係合したひだを組織捕捉チャンバへ引き入れる機械的な把持器を含んでもよい。
【００７１】
被験者の胃内の複数の組織領域を捕捉及びステープル留めするためのデバイスのより一般的な態様では、多重打ち出しステープル・ヘッドは、収縮状態と拡張状態との間の往復運動、又は開放状態と閉止状態との間の旋回運動との何れのためにも設計されていてもよく、後者の実施形態のステープル・ヘッドにおける複数のステープル保持チャンバは、捕捉組織におけるステープルの非直線配列を形成するために配置される。
【００７２】
複数の組織領域をステープル留めするためのデバイスも開示される。このデバイスは、操作状態において、（ａ）ステープル保持部材であり、このステープル保持部材は、複数のステープル保持チャンバの複数の列と、各チャンバ内に保持された少なくとも一つのステープルとを有し、各チャンバにおける少なくとも一つのステープルは、そのチャンバにおけるステープル準備位置にあるステープル保持部材と、（ｂ）ステープル保持部材に対して可動な台座部材であり、ステープル保持部材と台座との間に支持された組織をステープル留めするための台座部材と、（ｃ）第１の位置から第２の位置への移動のために前記ステープル保持部材に支持されたステープル・ドライバとを備え、その第２の位置では、ステープル保持チャンバの選択された列内のステープル準備位置におけるステープルが、ステープル保持チャンバから台座部材に対して前進して、これら二つの部材の間に支持された組織を通じてステープルの直線配列を形成する。
【００７３】
デバイスはチャンバの各直線配列について個別のステープル・ドライバを含んでもよい。
ステープル・ドライバはステープル係合楔を含んでもよく、これは直線配列におけるステープルの列に沿って移動し、チャンバの単独の直線配列内のステープル準備位置におけるステープルを連続的に係合させる。
【００７４】
ステープル・チャンバの列は、列位置に対する連続回転のために回転バレルに配置でき、その列位置では、選択された列が前記台座に隣接して位置して、定位置ステープル・ドライバの起動が、台座に対抗する列におけるチャンバからのステープルの放出を有効にするようにされているので、チャンバ列と台座との間に捕捉された組織がステープル留めされる。
【００７５】
更に他の態様において、本願は、被験者の中空器官内の多重ステープル留め操作を実行するためのデバイスを含む。このデバイスは、（ａ）ステープル保持部材であり、カートリッジ・ハウジングと、ステープル保持部材内で第１の位置と第２の位置との間で可動なステープル・ドライバとを有するステープル保持部材と、（ｂ）ステープル留め位置に対して接近離間する移動のために枢動するようにステープル保持部材に装着された台座部材と、（ｃ）複数のステープル・カートリッジであり、その各カートリッジは、（ｉ）複数のステープルと、（ｉｉ）少なくとも一つのドライバ・スロットであり、これを通じてステープル・ドライバがその第１の位置から第２の位置へ移動でき、前記ステープル保持部材及び前記台座部材がそれらのステープル留め位置へ移動したときに、一つ以上のステープルをカートリッジから排出するドライバ・スロットと、（ｉｉｉ）カートリッジがステープル保持部材へ導入されたとき、カートリッジ・ハウジング内にカートリッジを係止する係止構造とを有するステープル・カートリッジと、（ｄ）カートリッジのステープルが放出された後に、ステープル保持部材からカートリッジを解除するようにステープル保持部材に関係した解除機構と、（ｅ）ステープル保持部材に対してカートリッジを連続的に装填及び解除するようにカートリッジを支持する手段とを含む。
【００７６】
解除機構は、スプリング装填ステープル・ドライバレバーを含んでもよく、これは、ステープル・ドライバがスプリング偏倚に抗してその第２の位置へ移動した後に、カートリッジをステープル保持部材から押すように働いて、ステープルをカートリッジから放出する。
【００７７】
ステープル・ドライバはステープル契合楔を含んでもよく、これは直線配列におけるステープルの列に沿って移動して、カートリッジ・ステープルに連続的に契合する。
カートリッジは、一連のカートリッジとしてステープル保持部材のカートリッジ・チャンバへ連続的に装填するように支持されてもよく、且つ支持手段は（ｅ）一方のカートリッジの出口端を他方の入口端へ結合する可撓な繋留体又は枢動結合継手を含む。
【００７８】
開示された多重打ち出しステープル・ハウジング及びカートリッジは、胃内の多重組織捕捉及びステープル留め段階の実行、例えば胃内の組織の結合により胃が内側から仕切られる胃の分割処置中（共有に係る米国出願番号第１２／１１９，３２９号、２００８年５月１２日出願、発明の名称ＤＥＶＩＣＥＳ  ＡＮＤ  ＭＥＴＨＯＤＳ  ＦＯＲ  ＳＴＯＭＡＣＨ  ＰＡＲＴＩＴＩＯＮＩＮＧを参照されたい）、或いは胃インプラントの保持に用いる胃内の組織ひだ形成（共有に係る米国出願番号第１２／１７５，２４２号、２００８年７月１７日出願、発明の名称ＥＮＤＯＳＣＯＰＩＣ  ＩＭＰＬＡＮＴ  ＳＹＳＴＥＭ  ＡＮＤ  ＭＥＴＨＯＤ及び米国出願番号第１２／０５０，１６９号、２００８年３月１８日出願、発明の名称ＥＮＤＯＳＣＯＰＩＣ  ＳＴＡＰＬＩＮＧ  ＤＥＶＩＣＥＳ  ＡＮＤ  ＭＥＴＨＯＤＳを参照されたい）に特に有益である。
【図１Ａ】
2015061665.tif 000003
【図１Ｂ】
2015061665.tif 000004
【図１Ｃ】
2015061665.tif 000005
【図２】
2015061665.tif 000006
【図３Ａ】
2015061665.tif 000007
【図３Ｂ】
2015061665.tif 000008
【図４】
2015061665.tif 000009
【図５Ａ】
2015061665.tif 000010
【図５Ｂ】
2015061665.tif 000011
【図６】
2015061665.tif 000012
【図７Ａ】
2015061665.tif 000013
【図７Ｂ】
2015061665.tif 000014
【図７Ｃ】
2015061665.tif 000015
【図８Ａ】
2015061665.tif 000016
【図８Ｂ】
2015061665.tif 000017
【図８Ｃ】
2015061665.tif 000018
【図８Ｄ】
2015061665.tif 000019
【図８Ｅ】
2015061665.tif 000020
【図９Ａ】
2015061665.tif 000021
【図９Ｂ】
2015061665.tif 000022
【図９Ｃ】
2015061665.tif 000023
【図９Ｄ】
2015061665.tif 000024
【図９Ｅ】
2015061665.tif 000025
【図１０Ａ】
2015061665.tif 000026
【図１０Ｂ】
2015061665.tif 000027
【図１０Ｃ】
2015061665.tif 000028
【図１１】
2015061665.tif 000029
【図１２】
2015061665.tif 000030
【図１３】
2015061665.tif 000031
【図１４】
2015061665.tif 000032
【図１５】
2015061665.tif 000033
【図１６】
2015061665.tif 000034
【図１７】
2015061665.tif 000035
【図１８】
2015061665.tif 000036
【図１９】
2015061665.tif 000037
【図２０】
2015061665.tif 000038
【図２１Ａ】
2015061665.tif 000039
【図２１Ｂ】
2015061665.tif 000040
【図２２】
2015061665.tif 000041
【図２３Ａ】
2015061665.tif 000042
【図２３Ｂ】
2015061665.tif 000043
【図２３Ｃ】
2015061665.tif 000044
【図２４】
2015061665.tif 000045
【図２５】
2015061665.tif 000046
【図２６Ａ】
2015061665.tif 000047
【図２６Ｂ】
2015061665.tif 000048
【図２６Ｃ】
2015061665.tif 000049
【図２６Ｄ】
2015061665.tif 000050
【図２６Ｅ】
2015061665.tif 000051
【図２７】
2015061665.tif 000052